(57)【要約】【課題】電源の切り替えに起因する負荷の動作不具合の発生を抑制する。【解決手段】電源装置は、複数の負荷の各々に電力を供給する電源を切り換える場合に、切り替え信号を出力する切り替え制御部と、切り替え信号に応じて、複数の負荷の各々をリセットするリセット信号を、複数の出力端の各々から出力するリセット制御部と、を含む。【選択図】図１
2020088907.tif 000002
【特許請求の範囲】
【請求項１】
複数の負荷の各々に電力を供給する電源を切り換える場合に、切り替え信号を出力する切り替え制御部と、
前記切り替え信号に応じて、前記複数の負荷の各々をリセットするリセット信号を、複数の出力端の各々から出力するリセット制御部と、
を含む電源装置。
【請求項２】
前記リセット制御部は、前記切り替え信号のレベルの切り替わりに応じて、前記リセット信号を出力する
請求項１に記載の電源装置。
【請求項３】
前記リセット制御部は、前記切り替え信号のレベルの切り替わりから所定期間が経過した後に前記リセット信号を出力する
請求項２に記載の電源装置。
【請求項４】
前記切り替え制御部は、前記電源のうちの１つから出力される電圧のレベルに基づいて前記切り替え信号を出力する
請求項１から請求項３のいずれか１項に記載の電源装置。
【請求項５】
前記切り替え信号によって制御され、オン状態となった場合に第１の電源と前記複数の負荷とを接続する第１のスイッチと、
前記切り替え信号によって制御され、オン状態となった場合に前記第１の電源とは異なる第２の電源と前記複数の負荷の各々とを接続する第２のスイッチと、
を含む請求項１から請求項４のいずれか１項に記載の電源装置。
【請求項６】
前記切り替え制御部は、前記第１の電源から出力される電圧のレベルが第１の閾値よりも大である場合に、前記第１のスイッチをオン状態とし、前記第２のスイッチをオフ状態とする切り替え信号を出力し、前記第１の電源から出力される電圧のレベルが前記第１の閾値より小さい第２の閾値よりも小である場合に、前記第１のスイッチをオフ状態とし、前記第２のスイッチをオン状態とする切り替え信号を出力する
請求項５に記載の電源装置。
【請求項７】
前記第１の電源としての発電部と、
前記第２の電源としての蓄電部と、
を更に含む請求項５または請求項６に記載の電源装置。
【請求項８】
前記リセット信号に基づいて、前記複数の負荷の各々に対する電力の供給を所定期間だけ遮断する電源遮断部を更に含む
請求項１から請求項７のいずれか１項に記載の電源装置。
【請求項９】
通信リンクを確立して相互に通信を行いながら所定の機能を発揮する第１の機能部及び第２の機能部と、
前記第１の機能部及び前記第２の機能部の各々に電力を供給する電源を切り換える場合に、切り替え信号を出力する切り替え制御部と、
前記切り替え信号に応じて、前記第１の機能部及び前記第２の機能部の各々をリセットするリセット信号を、複数の出力端の各々から出力するリセット制御部と、
を含み、
前記第１の機能部及び前記第２の機能部のうちの少なくとも一方が、無線通信機能を有する
通信装置。
【発明の詳細な説明】
【技術分野】
【０００１】
開示の技術は、電源装置及び通信装置に関する。
【背景技術】
【０００２】
太陽電池等の発電素子と、二次電池等の蓄電素子とを備えた電源装置に関する技術として、例えば以下の技術が知られている。
【０００３】
例えば、二次電池に直列に接続された第１のスイッチと、二次電池の電圧が第１の電圧値以下のときにのみ第１のスイッチをオン状態にして二次電池と太陽電池とを接続させる第１コンパレータと、を有する太陽電池付時計が知られている。太陽電池付時計は、時計回路に直列に接続された第２のスイッチと、二次電池の電圧が第１の電圧値以上のときに第２のスイッチをオン状態にして二次電池と時計回路を接続させる第２コンパレータと、第１のスイッチに並列に接続された第３のスイッチを更に含む。また、太陽電池付時計は、二次電池の電圧が第１の電圧値以上でかつそれより高い第２の電圧以下のときのみ第３のスイッチをオン状態にして太陽電池と二次電池を接続するシュミットコンパレータを更に含む。
【０００４】
また、太陽電池と、太陽電池で発電されたエネルギーを蓄積する充電電池とを備えた電源装置において、充電電池の充電電圧が第１のレベルに達した場合、これよりも低い第２のレベルまで放電する充電電圧制御手段を備えたものが知られている。
【先行技術文献】
【特許文献】
【０００５】
【特許文献１】実開昭６３−７３８８号公報
【特許文献２】特開平７−２５０４３７号公報
【発明の概要】
【発明が解決しようとする課題】
【０００６】
複数の電源を備え、これら複数の電源のうち、負荷への電力供給を行う電源を切り換える手段を有する電源装置が知られている。このような電源装置によれば、一方の電源からの電力供給が不可となった場合でも、他方の電源から電力供給を行うことができるので、負荷への電力供給を安定的に行うことが可能となる。
【０００７】
しかしながら、このような電源装置においては、電源の切り替え時に、負荷に供給される電源電圧が急激に変動する電圧ギャップが発生し得る。ここで、負荷として、両者の間で通信リンク（ハンドシェイク）を確立して相互に通信を行う第１の機能部及び第２の機能部を想定する。すなわち、第１の機能部及び第２の機能部は、それぞれ、電源装置から電力の供給を受けることで、両者の間で通信リンク（ハンドシェイク）を確立し、互いに通信を行いながら所定の機能を発揮する。また、第１の機能部及び第２の機能部は、それぞれ、いわゆるパワーオンリセット機能を有しており、電源投入時にリセット状態となるものとする。パワーオンリセット機能は、電圧ギャップの発生時にも作動する場合がある。また、パワーオンリセット機能が作動する電圧ギャップの大きさは第１の機能部と第２の機能部とで異なるものとする。
【０００８】
このような場合において、電源の切り替えに伴って電圧ギャップが発生した場合には、第１の機能部及び第２の機能部のうちの一方のみが自身のパワーオンリセット機能によりリセットされる場合がある。この場合、第１の機能部と第２の機能部との間で確立された通信リンク（ハンドシェイク）が途絶され、第１の機能部及び第２の機能部は、これ以降、処理を進めることが不可能となり、実質的に機能停止状態となる。なお、第１の機能部と第２の機能部の双方においてパワーオンリセット機能が作動した場合には、リセット後に第１の機能部と第２の機能部との間で、通信リンク（ハンドシェイク）が再度確立されるので、上記の問題は生じることはないと考えられる。
【０００９】
上記の問題を解決する方法の１つとして、電源ラインとグランドラインとの間にバイパスコンデンサを設けることで、電源の切り替えに伴う電圧の変動を緩やかにする方法が考えられる。しかしながら、この場合、ワースト条件でも動作を保証するために、バイパスコンデンサの静電容量を大きくする必要がある。この場合、起動時におけるバイパスコンデンサの充電時間が長くなるため、第１の機能部及び第２の機能部の起動に遅れが生じるといった問題が発生する。
【００１０】
開示の技術は、一つの側面として、電源の切り替えに起因する負荷の動作不具合の発生を抑制することを目的とする。
【課題を解決するための手段】
【００１１】
開示の技術に係る電源装置は、複数の負荷の各々に電力を供給する電源を切り換える場合に、切り替え信号を出力する切り替え制御部を含む。電源装置は、前記切り替え信号に応じて、前記複数の負荷の各々をリセットするリセット信号を、複数の出力端の各々から出力するリセット制御部を含む。
【発明の効果】
【００１２】
開示の技術によれば、電源の切り替えに起因する負荷の動作不具合の発生を抑制する、という効果を奏する。
【図面の簡単な説明】
【００１３】
【図１】開示の技術の実施形態に係る電源装置の構成の一例を示す図である。
【図２】開示の技術の実施形態に係る電源装置の動作の一例を示すフローチャートである。
【図３】開示の技術の実施形態に係る電源装置の動作の一例を示すタイミングチャートである。
【図４】比較例に係る電源装置の構成の一例を示す図である。
【図５】比較例に係る電源装置の動作の一例を示すフローチャートである。
【図６】比較例に係る電源装置の動作の一例を示すタイミングチャートである。
【図７】開示の技術の実施形態に係る電源装置の構成の一例を示す図である。
【図８】開示の技術の実施形態に係る電源装置の構成の一例を示す図である。
【図９】開示の技術の実施形態に係る第２の切り替え制御部の構成の一例を示す図である。
【図１０】開示の技術の実施形態に係る電源装置の動作の一例を示すフローチャートである。
【図１１】開示の技術の実施形態に係る電源装置の動作波形の一例を示す図である。
【図１２】開示の技術の実施形態に係る通信装置の構成を示す図である。
【発明を実施するための形態】
【００１４】
以下、開示の技術の実施形態の一例を、図面を参照しつつ説明する。なお、各図面において同一または等価な構成要素および部分には同一の参照符号を付与している。
【００１５】
[第１の実施形態]
図１は、開示の技術の実施形態に係る電源装置１の構成の一例を示す図である。電源装置１は、第１の電源としての発電部１０、キャパシタ１２、第２の電源としての蓄電部５０、第１のスイッチＳＷ１、第２のスイッチＳＷ２、切り替え制御部２０、及びリセット制御部４０を含んで構成されている。なお、図１には、電源装置１から電力の供給を受ける負荷としての第１の機能部６１及び第２の機能部６２が電源装置１と共に示されている。
【００１６】
第１の電源としての発電部１０は、例えば、光、熱、振動、電波などの環境エネルギーを電力に変換して発電電圧を出力する。発電部１０として、振動、電波などの交流電圧を生成する発電素子を使う場合に、別途交流電圧から直流電圧への変換装置が必要となる場合もある。発電部１０の正極は電源ラインＬｐ１に接続され、発電部１０の負極はグランドラインＬｍに接続されている。
【００１７】
第１のスイッチＳＷ１は、一端が電源ラインＬｐ１に接続され、他端が電源ラインＬｐ３に接続されている。第１のスイッチＳＷ１は、切り替え制御部２０から供給される切り替え信号ＡＳＷに応じてオン状態またはオフ状態となる。
【００１８】
キャパシタ１２は、発電部１０に並列接続されている。すなわち、キャパシタ１２の一方の電極は、正側の電源ラインＬＰ１に接続され、キャパシタ１２の他方の電極は、グランドラインＬｍに接続されている。キャパシタ１２は、発電部１０によって生成された電力を蓄積する。キャパシタ１２は、蓄電部５０よりも蓄電容量が小さいものが用いられる。
【００１９】
第２の電源としての蓄電部５０は、例えば二次電池、スーパキャパシタ等のキャパシタ１２よりも蓄電容量が大きい蓄電素子によって構成されている。蓄電部５０の正極は電源ラインＬｐ２に接続され、蓄電部５０の負極はグランドラインＬｍに接続されている。電源ラインＬＰ２には、蓄電部５０の充電電圧に応じた電圧ＶＤＤ２が供給される。
【００２０】
第２のスイッチＳＷ２は、一端が電源ラインＬｐ２に接続され、他端が電源ラインＬｐ３に接続されている。第２のスイッチＳＷ２は、切り替え制御部２０から供給される切り替え信号ＡＳＷに応じてオン状態またはオフ状態となる。
【００２１】
切り替え制御部２０は、電源ラインＬｐ１に生じる電圧ＶＤＤ１のレベルに基づいて第１のスイッチＳＷ１及び第２のスイッチＳＷ２を制御することで、第１の機能部６１及び第２の機能部６２に電力を供給する電源の切り替えを行う。切り替え制御部２０は、発電部１０から出力される電圧のレベルに基づいて切り替え信号ＡＳＷを出力する。
【００２２】
すなわち、切り替え制御部２０は、電源ラインＬＰ１の電圧ＶＤＤ１のレベルが、閾値ＶＨを上回った場合に、第１のスイッチＳＷ１をオン状態にする切り替え信号ＡＳＷを出力する。第１のスイッチＳＷ１をオン状態にする切り替え信号ＡＳＷは、インバータ３０によりレベル反転された後、第２のスイッチＳＷ２に供給される。これにより、第２のスイッチＳＷ２はオフ状態となる。
【００２３】
一方、切り替え制御部２０は、電源ラインＬＰ１の電圧ＶＤＤ１のレベルが、閾値ＶＨよりも小さい閾値ＶＬを下回った場合に、第１のスイッチＳＷ１をオフ状態にする切り替え信号ＡＳＷを出力する。第１のスイッチＳＷ１をオフ状態にする切り替え信号ＡＳＷは、インバータ３０によりレベル反転された後、第２のスイッチＳＷ２に供給される。これにより、第２のスイッチＳＷ２はオン状態となる。すなわち、第１のスイッチＳＷ１及び第２のスイッチＳＷ２は、相補的にオンオフする。
【００２４】
第１の機能部６１及び第２の機能部６２は、それぞれ、両者の間で通信リンクを確立して相互に通信を行いながら所定の機能を発揮する。第１の機能部６１及び第２の機能部６２は、それぞれ、電源ラインＬＰ３に供給される電圧ＶＤＤ３を電源電圧として稼働する。電圧ＶＤＤ３は、第１のスイッチＳＷ１がオン状態となることにより、電源ラインＬＰ１の電圧ＶＤＤ１と等しくなり、第２のスイッチＳＷ２がオン状態となることにより、電源ラインＬＰ２の電圧ＶＤＤ２と等しくなる。
【００２５】
第１の機能部６１は、パルス信号Ｃ１を第２の機能部６２に送信し、第２の機能部６２は、パルス信号Ｃ２を第１の機能部６１に送信する。第１の機能部６１は、第２の機能部６２から供給されるパルス信号Ｃ２の立下りに応じて起動し、パルス信号Ｃ１を第２の機能部６２に供給した後、停止状態（スリープ状態）となる。第２の機能部６２は、第１の機能部６１から供給されるパルス信号Ｃ１の立下りに応じて起動し、パルス信号Ｃ２を第１の機能部６１に供給した後、停止状態（スリープ状態）となる。パルス信号Ｃ２は、パルス信号Ｃ１の立下り時点から一定期間経過後に立下りを生じる信号である。
【００２６】
第１の機能部６１及び第２の機能部６２は、それぞれ、パワーオンリセット機能を有しており、電源投入時にリセット状態となり起動される。パワーオンリセット機能は、電圧ギャップの発生時にも作動する場合があり、パワーオンリセット機能が作動する電圧ギャップの大きさは第１の機能部６１と第２の機能部６２とで異なる。すなわち、電源ラインＬＰ３に供給される電圧ＶＤＤ３が急激に変化した場合に、第１の機能部６１及び第２の機能部６２のいずれか一方のみにおいて、パワーオンリセット機能が作動する場合がある。また、第１の機能部６１及び第２の機能部６２は、それぞれリセット入力端子を有しており、リセット制御部４０から供給されるリセット信号ＢＲＥＳ１、ＢＲＥＳ２に応じてリセットされる。
【００２７】
リセット制御部４０は、切り替え制御部２０から出力される切り替え信号ＡＳＷに応じて、第１の機能部６１及び第２の機能部６２をリセットするリセット信号ＢＲＥＳ１、ＢＲＥＳ２を、それぞれ、出力端４１、４２の各々から同時に出力する。より具体的には、リセット制御部４０は、第１のスイッチＳＷ１をオフ状態（第２のスイッチＳＷ２をオン状態）にする切り替え信号ＡＳＷを出力するタイミング、及び第１のスイッチＳＷ１をオン状態（第２のスイッチＳＷ２をオフ状態）にする切り替え信号ＡＳＷが出力されるタイミングの各々において、リセット信号ＢＲＥＳ１、ＢＲＥＳ２としてのパルスを出力する。すなわち、リセット制御部４０は、第１の機能部６１及び第２の機能部６２に電力を供給する電源が切り替わるタイミング（切り替え信号ＡＳＷがレベル反転するタイミング）でリセット信号ＢＲＥＳ１、ＢＲＥＳ２を出力する。第１の機能部６１及び第２の機能部６２は、それぞれ、リセット制御部４０から出力されるリセット信号ＢＲＥＳ１、ＢＲＥＳ２に応じて互いに同じタイミングでリセット状態となる。
【００２８】
リセット制御部４０として、例えば、入力信号のレベルの切り替わりに応じて、所定のパルス幅のパルスを出力する単安定マルチバイブレータを好適に用いることができる。なお、本実施形態においては、リセット制御部４０が、インバータ３０を介して切り替え信号ＡＳＷを受ける構成としているが、リセット制御部４０が、切り替え信号ＡＳＷを直接受ける構成としてもよい。
【００２９】
また、リセット制御部４０は、第１の機能部６１及び第２の機能部６２に電力を供給する電源が切り替わるタイミング（切り替え信号ＡＳＷがレベル反転するタイミング）から所定期間経過後に、リセット信号ＢＲＥＳ１、ＢＲＥＳ２としてのパルスを出力してもよい。すなわち、リセット信号ＢＲＥＳ１、ＢＲＥＳ２の出力タイミングは、切り替え信号ＡＳＷのレベル反転に対して遅延していてもよい。
【００３０】
図２は、電源装置１の動作の一例を示すフローチャートである。なお、蓄電部５０は、満充電状態であるものとする。また、初期状態において、第１のスイッチＳＷ１及び第２のスイッチＳＷ２は、それぞれオフ状態であるものとする。
【００３１】
ステップＳ１において、切り替え制御部２０は、発電部１０から出力される電圧、すなわち、電源ラインＬＰ１の電圧ＶＤＤ１が閾値ＶＨよりも大であるか否かを判定する。
【００３２】
切り替え制御部２０は、電源ラインＬＰ１の電圧ＶＤＤ１が閾値ＶＨよりも大であることを検出すると、ステップＳ２において、例えば、ハイレベルの切り替え信号ＡＳＷを出力する。これにより、第１のスイッチＳＷ１はオン状態となる。ハイレベルの切り替え信号ＡＳＷは、インバータ３０を通過することでローレベルに反転され、第２のスイッチＳＷ２に供給される。これにより、第２のスイッチＳＷ２はオフ状態となる。第１のスイッチＳＷ１がオン状態、第２のスイッチＳＷ２がオフ状態となることで、電源ラインＬＰ３は、第１のスイッチＳＷ１を介して電源ラインＬＰ１に接続され、発電部１０と、第１の機能部６１及び第２の機能部６２とが接続される。これにより、第１の機能部６１及び第２の機能部６２は、発電部１０から供給される電力によって稼働する。
【００３３】
ステップＳ３において、切り替え制御部２０は、電源ラインＬＰ１の電圧ＶＤＤ１が閾値ＶＬ（＜ＶＨ）よりも小であるか否かを判定する。電圧ＶＤＤ１が閾値ＶＬよりも大である場合、発電部１０から第１の機能部６１及び第２の機能部６２への電力供給が継続される。
【００３４】
切り替え制御部２０は、電源ラインＬＰ１の電圧ＶＤＤ１が閾値ＶＬよりも小であることを検出すると、ステップＳ４において、例えば、ローレベルの切り替え信号ＡＳＷを出力する。これにより、第１のスイッチＳＷ１はオフ状態となる。ローレベルの切り替え信号ＡＳＷは、インバータ３０を通過することでハイレベルに反転され、第２のスイッチＳＷ２に供給される。これにより、第２のスイッチＳＷ２はオン状態となる。第１のスイッチＳＷ１がオフ状態、第２のスイッチＳＷ２がオン状態となることで、電源ラインＬＰ３は、第２のスイッチＳＷ２を介して電源ラインＬＰ２に接続され、蓄電部５０と、第１の機能部６１及び第２の機能部６２とが接続される。これにより、第１の機能部６１及び第２の機能部６２は、蓄電部５０から供給される電力によって稼働する。すなわち、ステップＳ４において、第１の機能部６１及び第２の機能部６２に電力を供給する電源が、発電部１０から蓄電部５０に切り替わる。
【００３５】
ステップＳ５において、リセット制御部４０は、切り替え信号ＡＳＷのレベル反転に応じて、リセット信号ＢＲＥＳ１、ＢＲＥＳ２を、それぞれ、出力端４１、４２から同時に出力する。リセット信号ＢＲＥＳ１は、第１の機能部６１に供給され、リセット信号ＢＲＥＳ２は、第２の機能部６２に供給される。第１の機能部６１及び第２の機能部６２は、それぞれ、リセット信号ＢＲＥＳ１、ＢＲＥＳ２に応じて互いに同じタイミングでリセット状態となる。これにより、第１の機能部６１と第２の機能部６２との間で確立された通信リンク（ハンドシェイク）は一旦途絶されるが、リセット状態から復帰すると、両者の間で通信リンク（ハンドシェイク）が再度確立され、相互に通信を行うことが可能となる。
【００３６】
ステップＳ６において、切り替え制御部２０は、電源ラインＬＰ１の電圧ＶＤＤ１が閾値ＶＨよりも大であるか否かを判定する。電圧ＶＤＤ１が閾値ＶＨよりも小である場合、蓄電部５０から第１の機能部６１及び第２の機能部６２への電力供給が継続される。
【００３７】
切り替え制御部２０は、電源ラインＬＰ１の電圧ＶＤＤ１が閾値ＶＨよりも大であることを検出すると、ステップＳ７において、例えば、ハイレベルの切り替え信号ＡＳＷを出力する。これにより、第１のスイッチＳＷ１はオン状態となる。ハイレベルの切り替え信号ＡＳＷは、インバータ３０を通過することでローレベルに反転され、第２のスイッチＳＷ２に供給される。これにより、第２のスイッチＳＷ２はオフ状態となる。第１のスイッチＳＷ１がオン状態、第２のスイッチＳＷ２がオフ状態となることで、電源ラインＬＰ３は、第１のスイッチＳＷ１を介して電源ラインＬＰ１に接続され、発電部１０と、第１の機能部６１及び第２の機能部６２とが接続される。これにより、第１の機能部６１及び第２の機能部６２は、発電部１０から供給される電力によって稼働する。すなわち、ステップＳ７において、第１の機能部６１及び第２の機能部６２に電力を供給する電源が、蓄電部５０から発電部１０に切り替わる。
【００３８】
ステップＳ８において、リセット制御部４０は、切り替え信号ＡＳＷのレベル反転に応じて、リセット信号ＢＲＥＳ１、ＢＲＥＳ２を、それぞれ、出力端４１、４２から同時に出力する。リセット信号ＢＲＥＳ１は、第１の機能部６１に供給され、リセット信号ＢＲＥＳ２は、第２の機能部６２に供給される。第１の機能部６１及び第２の機能部６２は、それぞれ、リセット信号ＢＲＥＳ１、ＢＲＥＳ２に応じて互いに同じタイミングでリセット状態となる。これにより、第１の機能部６１と第２の機能部６２との間で確立された通信リンク（ハンドシェイク）は一旦途絶されるが、リセット状態から復帰すると、両者の間で通信リンク（ハンドシェイク）が再度確立され、相互に通信を行うことが可能となる。その後、処理は、ステップＳ３に戻される。
【００３９】
このように、電源装置１によれば、ＶＤＤ１＞ＶＨを満たす場合に、発電部１０から第１の機能部６１及び第２の機能部６２に電力が供給され、ＶＤＤ１＜ＶＬを満たす場合に、蓄電部５０から第１の機能部６１及び第２の機能部６２に電力が供給される。また、第１の機能部６１及び第２の機能部６２に電力を供給する電源が切り替わるタイミングに同期して、リセット信号ＢＲＥＳ１、ＢＲＥＳ２が出力され、第１の機能部６１及び第２の機能部６２が互いに同じタイミングでリセットされる。
【００４０】
図３は、電源装置１の動作の一例を示すタイミングチャートである。図３には、電源ラインＬＰ１、ＬＰ２、ＬＰ３にそれぞれ供給される電圧ＶＤＤ１、ＶＤＤ２、ＶＤＤ３、リセット信号ＢＲＥＳ１、ＢＲＥＳ２及び第１の機能部６１及び第２の機能部６２から出力されるパルス信号Ｃ１、Ｃ２が示されている。また、図３に示す例では、初期状態（時刻ｔ０）において、第１のスイッチＳＷ１がオフ状態、第２のスイッチＳＷ２がオフ状態とされ、蓄電部５０から第１の機能部６１及び第２の機能部６２に電力が供給されている場合が示されている。
【００４１】
上記したように、第１の機能部６１は、第２の機能部６２から供給されるパルス信号Ｃ２の立下りに応じて起動し、パルス信号Ｃ１を第２の機能部６２に供給した後、停止状態（スリープ状態）となる。第２の機能部６２は、第１の機能部６１から供給されるパルス信号Ｃ１の立下りに応じて起動し、パルス信号Ｃ２を第１の機能部６１に供給した後、停止状態（スリープ状態）となる。パルス信号Ｃ２は、パルス信号Ｃ１の立下り時点から一定期間経過後に立下りを生じる信号である。
【００４２】
発電部１０における発電量が増大し、発電電圧が上昇すると、これに伴って電源ラインＬＰ１の電圧ＶＤＤ１が上昇する。切り替え制御部２０は、電源ラインＬＰ１の電圧ＶＤＤ１が、閾値ＶＨを超えたことを検出すると、例えばハイレベルの切り替え信号ＡＳＷを出力する。これにより、第１のスイッチＳＷ１がオン状態、第２のスイッチＳＷ２がオフ状態となり、電源ラインＬＰ３は、第１のスイッチＳＷ１を介して電源ラインＬＰ１に接続され、発電部１０と、第１の機能部６１及び第２の機能部６２とが接続される。すなわち、第１の機能部６１及び第２の機能部６２に電力を供給する電源が、蓄電部５０から発電部１０に切り替わる。
【００４３】
リセット制御部４０は、切り替え信号ＡＳＷのレベル反転に応じて、リセット信号ＢＲＥＳ１、ＢＲＥＳ２を、それぞれ、出力端４１、４２から同時に出力する。これにより、第１の機能部６１及び第２の機能部６２は、それぞれ、リセット信号ＢＲＥＳ１、ＢＲＥＳ２に応じて互いに同じタイミングでリセット状態となる。第１の機能部６１と第２の機能部６２がそれぞれリセット状態となることで、両者の間で確立された通信リンク（ハンドシェイク）は一旦途絶されるが、リセット状態から復帰すると、両者の間で通信リンク（ハンドシェイク）が再度確立され、相互に通信を行うことが可能となる。
【００４４】
電源ラインＬＰ３が、第１のスイッチＳＷ１を介して電源ラインＬＰ１に接続されることで、電圧ＶＤＤ３のレベルは、電圧ＶＤＤ２のレベルから電圧ＶＤＤ１のレベルに急激に変化する。すなわち、電源の切り替えに伴って、第１の機能部６１及び第２の機能部６２が接続されている電源ラインＬＰ３において電圧ギャップが生じる。電源ラインＬＰ３において電圧ギャップが生じると、第１の機能部６１及び第２の機能部６２のいずれか一方のみにおいてパワーオンリセット機能が作動するおそれがある。しかしながら、本実施形態に係る電源装置１によれば、電源が切り替わるタイミングで、第１の機能部６１及び第２の機能部６２は、それぞれ、リセット信号ＢＲＥＳ１、ＢＲＥＳ２に応じて同時にリセットされる。これにより、第１の機能部６１及び第２の機能部６２のいずれか一方のみにおいてパワーオンリセット機能が作動することに起因する通信リンク（ハンドシェイク）の途絶を回避することができる。
【００４５】
その後、発電部１０における発電量が減少し、発電電圧が低下すると、電源ラインＬＰ１の電圧ＶＤＤ１が降下する。切り替え制御部２０は、電源ラインＬＰ１の電圧ＶＤＤ１が、閾値ＶＬを下回ったことを検出すると、例えばローレベルの切り替え信号ＡＳＷを出力する。これにより、第１のスイッチＳＷ１がオフ状態、第２のスイッチＳＷ２がオン状態となり、電源ラインＬＰ３は、第２のスイッチＳＷ２を介して電源ラインＬＰ２に接続され、蓄電部５０と、第１の機能部６１及び第２の機能部６２とが接続される。すなわち、第１の機能部６１及び第２の機能部６２に電力を供給する電源が、発電部１０から蓄電部５０に切り替わる。
【００４６】
リセット制御部４０は、切り替え信号ＡＳＷのレベル反転に応じて、リセット信号ＢＲＥＳ１、ＢＲＥＳ２を、それぞれ、出力端４１、４２から同時に出力する。これにより、第１の機能部６１及び第２の機能部６２は、それぞれ、リセット信号ＢＲＥＳ１、ＢＲＥＳ２に応じて互いに同じタイミングでリセット状態となる。第１の機能部６１と第２の機能部６２がそれぞれリセット状態となることで、両者の間で確立された通信リンク（ハンドシェイク）は一旦途絶されるが、リセット状態から復帰すると、両者の間で通信リンクが再度確立され、相互に通信を行うことが可能となる。
【００４７】
電源ラインＬＰ３が、第２のスイッチＳＷ２を介して電源ラインＬＰ２に接続されることで、電圧ＶＤＤ３のレベルは、電圧ＶＤＤ１のレベルから電圧ＶＤＤ２のレベルに急激に変化する。すなわち、電源の切り替えに伴って、第１の機能部６１及び第２の機能部６２が接続されている電源ラインＬＰ３において電圧ギャップが生じる。電源ラインＬＰ３において電圧ギャップが生じると、第１の機能部６１及び第２の機能部６２のいずれか一方のみにおいてパワーオンリセット機能が作動するおそれがある。しかしながら、本実施形態に係る電源装置１によれば、電源が切り替わるタイミングで、第１の機能部６１及び第２の機能部６２は、それぞれ、リセット信号ＢＲＥＳ１、ＢＲＥＳ２に応じて同時にリセットされる。これにより、第１の機能部６１及び第２の機能部６２のいずれか一方のみにおいてパワーオンリセット機能が作動することに起因する通信リンクの途絶を回避することができる。
【００４８】
また、第１の機能部６１及び第２の機能部６２に電力を供給する電源が切り替わるタイミング（切り替え信号ＡＳＷがレベル反転するタイミング）から所定期間経過後に、リセット信号ＢＲＥＳ１、ＢＲＥＳ２が出力されることで、第１の機能部６１及び第２の機能部６２の同時リセットをより確実に行うことが可能となる。
【００４９】
図４は、比較例に係る電源装置１Ｘの構成の一例を示す図である。比較例に係る電源装置１Ｘは、開示の技術の実施形態に係る電源装置１が備えるリセット制御部４０を備えていない。
【００５０】
図５は、比較例に係る電源装置１Ｘの動作の一例を示すフローチャートである。図５に示されるステップＳ１１〜Ｓ１４、Ｓ１６、Ｓ１７における処理は、それぞれ、図２に示される、ステップＳ１〜Ｓ４、Ｓ６、Ｓ７に相当する。比較例に係る電源装置１Ｘによれば、第１のスイッチＳＷ１及び第２のスイッチＳＷ２の切り替え後（すなわち、電源の切り替え後）にリセット信号ＢＲＥＳ１、ＢＲＥＳ２を出力するステップが省略される。
【００５１】
図６は、比較例に係る電源装置１Ｘの動作の一例を示すタイミングチャートである。比較例に係る電源装置１Ｘによれば、電源の切り替えに伴って電源ラインＬＰ３において電圧ギャップが生じた場合、第１の機能部６１及び第２の機能部６２のいずれか一方のみにおいてパワーオンリセット機能が作動するおそれがある。図６には、電圧ＶＤＤ３のレベルが、電源の切り替えに伴って電圧ＶＤＤ１のレベルから電圧ＶＤＤ２のレベルに急激に変化した場合に、第２の機能部６２のみにおいて、パワーオンリセット機能が作動した場合が例示されている。この場合、第２の機能部６２は、パワーオンリセット機能が作動する直前に受信した第１の機能部６１からのパルス信号Ｃ１の立下りの情報を消失する。第２の機能部６２は、パルス信号Ｃ１の立下り時点から一定期間経過後に立下りを生じるパルス信号Ｃ２を生成するところ、パルス信号Ｃ１の立下りの情報を消失すると、パルス信号Ｃ２を生成することができない。第１の機能部６１は、パルス信号Ｃ２の立下りに応じて起動するので、パルス信号Ｃ２が生成されない場合には、第１の機能部６１は起動することができない。このように、比較例に係る電源装置１Ｘによれば、電源の切り替えに伴って、第１の機能部６１と第２の機能部６２との間で確立された通信リンク（ハンドシェイク）が途絶され、実質的に機能停止状態となるおそれがある。
【００５２】
一方、開示の技術の実施形態に係る電源装置１によれば、電源の切り替えと連動してトップダウンでリセット管理が行われる。これにより、第１の機能部６１及び第２の機能部６２におけるパワーオンリセットの作動条件の違いに左右されることなく、電源の切り替えのタイミングに同期して、第１の機能部６１及び第２の機能部６２を同時にリセットすることができる。これにより、電源の切り替えに伴って、電源ラインＬＰ３において電圧ギャップが生じた場合でも、第１の機能部６１及び第２の機能部６２における通信リンク（ハンドシェイク）の途絶を回避することができる。従って、システムの安定的な運用が可能となる。すなわち、開示の技術の実施形態に係る電源装置１によれば、電源の切り替えに起因する負荷の動作不具合の発生を抑制することが可能となる。
【００５３】
また、電源装置１によれば、切り替え制御部２０が、電源ラインＬＰ１の電圧ＶＤＤと閾値ＶＨ、ＶＬとを比較した結果に基づいて、第１のスイッチＳＷ１及び第２のスイッチＳＷ２を制御することで電源の切り替えを実現している。この構成によれば、例えば、発電部１０または蓄電部５０から出力される電圧を入力電圧として、安定化された一定電圧を出力するコンバータを用いて負荷に対して電力供給を行う構成と比較して、消費電力を抑制することが可能となる。従って、電源の１つとして、光、熱、振動、電波などの環境エネルギーを電力に変換する発電部を備えるシステムに、開示の技術を適用することができる。
【００５４】
［第２の実施形態］
図７は、開示の技術の第２の実施形態に係る電源装置１Ａの構成の一例を示す図である。電源装置１Ａは、リセット信号ＢＲＥＳ１、ＢＲＥＳ２に基づいて、第１の機能部６１、第２の機能部６２に対する電力の供給を所定期間だけ遮断する電源遮断部としてのスイッチＳＷ３及びＳＷ４を有する。
【００５５】
スイッチＳＷ３は、第１の機能部６１とグランドラインＬｍとの間に設けられており、リセット信号ＢＲＥＳ１が出力されると、オフ状態となり、所定期間経過後にオン状態となる。これにより、第１の機能部６１のパワーオンリセット機能が作動し、第１の機能部６１はリセットされる。同様に、スイッチＳＷ４は、第２の機能部６２とグランドラインＬｍとの間に設けられており、リセット信号ＢＲＥＳ２が出力されると、オフ状態となり、所定期間経過後にオン状態となる。これにより、第２の機能部６２のパワーオンリセット機能が作動し、第２の機能部６２はリセットされる。リセット信号ＢＲＥＳ１、ＢＲＥＳ２は、切り替え信号ＡＳＷのレベル反転に応じて同時に出力されるので、第１の機能部６１及び第２の機能部６２は、リセット信号ＢＲＥＳ１、ＢＲＥＳ２に基づいて、互いに同じタイミングでパワーオンリセット機能が作動する。
【００５６】
電源ラインＬＰ３に電圧ギャップが生じた場合、第１の機能部６１及び第２の機能部６２のうちのいずれか一方のみにおいてパワーオンリセット機能が作動する場合がある。しかしながら、スイッチＳＷ３、ＳＷ４により電源を所定期間遮断することで、第１の機能部６１及び第２の機能部６２の各々のパワーオンリセット機能を確実に作動させることが可能となる。
【００５７】
以上のように、開示の技術の第２の実施形態に係る電源装置１Ａによれば、電源の切り替え時に、第１の機能部６１及び第２の機能部６２において、これらのパワーオンリセット機能を同時に作動させることができる。従って、第１の実施形態に係る電源装置１と同様、電源の切り替えに起因する負荷の動作不具合の発生を抑制することが可能となる。
【００５８】
また、電源装置１Ａによれば、第１の機能部６１及び第２の機能部６２が、リセット入力端子を備えていない場合にも対応することが可能である。なお、本実施形態では、スイッチＳＷ３が第１の機能部６１とグランドラインＬｍとの間に設けられ、スイッチＳＷ４が第２の機能部６２とグランドラインＬｍとの間に設けられている場合を例示したが、この態様に限定されない。スイッチＳＷ３が第１の機能部６１と電源ラインＬＰ３との間に設けられていてもよく、スイッチＳＷ４が第２の機能部６２と電源ラインＬＰ３との間に設けられていてもよい。
【００５９】
［第３の実施形態］
図８は、開示の技術の第３の実施形態に係る電源装置１Ｂの構成の一例を示す図である。電源装置１Ｂは、第１の切り替え制御部２０Ａ及び第２の切り替え制御部２０Ｂを備えている。
【００６０】
第１の切り替え制御部２０Ａは、電源ラインＬｐ１に接続された第１の入力端子ｉ１、グランドラインＬｍに接続された第２の入力端子ｉ２、及び出力端子ｏを有する。第１の切り替え制御部２０Ａは、電源ラインＬｐ１の電圧ＶＤＤ１のレベルに基づいて第１のスイッチＳＷ１のオンオフを制御する。第１の切り替え制御部２０Ａは、電圧ＶＤＤ１のレベルが閾値ＶＨ１を上回った場合に、第１のスイッチＳＷ１をオン状態にする切り替え信号ＡＳＷ１を出力する。一方、第１の切り替え制御部２０Ａは、電圧ＶＤＤ１のレベルが閾値ＶＨ１よりも小さい閾値ＶＬ１を下回った場合に、第１のスイッチＳＷ１をオフ状態にする切り替え信号ＡＳＷ１を出力する。
【００６１】
第２の切り替え制御部２０Ｂは、電源ラインＬｐ３に接続された第１の入力端子ｉ１、インバータ３０の出力端子に接続された第２の入力端子ｉ２、及び出力端子ｏを有する。第２の切り替え制御部２０Ｂは、電源ラインＬＰ３の電圧ＶＤＤ３のレベルに基づいて第２のスイッチＳＷ２のオンオフを制御する。第２の切り替え制御部２０Ｂは、電圧ＶＤＤ３のレベルが閾値ＶＨ１よりも大きい閾値ＶＨ２を上回った場合に、第２のスイッチＳＷ２をオン状態にする切り替え信号ＡＳＷ２を出力する。一方、第２の切り替え制御部２０Ｂは、電圧ＶＤＤ３のレベルが、閾値ＶＨ２よりも小さい閾値ＶＬ２を下回った場合に、第２のスイッチＳＷ２をオフ状態にする切り替え信号ＡＳＷ２を出力する。
【００６２】
第２の切り替え制御部２０Ｂの第２の入力端子ｉ２は、インバータ３０を介して第１の切り替え制御部２０Ａの出力端子ｏに接続されている。また、第２の切り替え制御部２０Ｂの出力端子ｏは、一端が電源ラインＬｐ３に接続されたプルアップ抵抗ＲＨの他端に接続されている。この構成により、第１の切り替え制御部２０Ａが、第１のスイッチＳＷ１をオフ状態にするローレベルの切り替え信号ＡＳＷ１を出力した場合、第２の切り替え制御部２０Ｂの第２の入力端子ｉ２には、ハイレベルの信号が入力される。第２の切り替え制御部２０Ｂの第２の入力端子ｉ２にハイレベルの電圧が入力されると、第２の切り替え制御部２０Ｂは、プルアップ抵抗ＲＨの作用により、第２のスイッチＳＷ２をオン状態にするハイレベルの切り替え信号ＡＳＷ２を出力する。
【００６３】
図９は、第２の切り替え制御部２０Ｂの構成の一例を示す図である。第２の切り替え制御部２０Ｂは、出力段がオープンドレインタイプのヒステリシスコンパレータの構成を有する。第２の切り替え制御部２０Ｂは、抵抗素子Ｒ１、Ｒ２、Ｒ３、トランジスタＴ１、Ｔ２、演算増幅回路２０１、電流源２０２、基準電圧回路２０３、静電保護用ダイオード２０４を含んで構成されている。
【００６４】
演算増幅回路２０１は、第１の入力端子ｉ１と第２の入力端子ｉ２との間に印加される電圧を抵抗素子Ｒ１〜Ｒ３によって分圧して得られる検出電圧ＶＤのレベルが、基準電圧ＶＲＥＦのレベルよりも低い場合、ハイレベルの信号を出力する。演算増幅回路２０１からハイレベルの信号が出力されると、トランジスタＴ１及びＴ２がそれぞれオン状態となり、出力端子ｏから出力される切り替え信号ＡＳＷ２のレベルは、ローレベルとなる。
【００６５】
一方、演算増幅回路２０１は、検出電圧ＶＤのレベルが、基準電圧ＶＲＥＦのレベルよりも高い場合、ローレベルの信号を出力する。演算増幅回路２０１からローレベルの信号が出力されると、トランジスタＴ１及びＴ２がそれぞれオフ状態となり、出力端子ｏから出力される切り替え信号ＡＳＷ２のレベルは、プルアップ抵抗ＲＨ（図８参照）の作用によりハイレベルとなる。演算増幅回路２０１から出力され出力信号のレベルに応じてトランジスタＴ２がオンオフすることで、抵抗素子Ｒ１〜Ｒ３による分圧比が変化し、これによって、第２の切り替え制御部２０Ｂにおいて、ヒステリシス特性が実現される。
【００６６】
第１の切り替え制御部２０Ａが、第１のスイッチＳＷ１をオフさせるローレベルの切り替え信号ＡＳＷ１を出力したことにより、第２の切り替え制御部２０Ｂの第２の入力端子ｉ２にハイレベルの電圧が入力された場合には、トランジスタＴ１は、オフ状態となる。この場合、第２の切り替え制御部２０Ｂから出力される切り替え信号ＡＳＷ２のレベルは、プルアップ抵抗ＲＨ（図８参照）の作用によりハイレベルとなる。なお、第１の切り替え制御部２０Ａは、第２の切り替え制御部２０Ｂの構成と同様の構成を有していてもよい。
【００６７】
以下に、電源装置１Ｂの動作について説明する。図１０は、電源装置１Ｂの動作の一例を示すフローチャートである。図１１は、電源装置１Ｂの動作波形の一例を示す図である。図１１の上段は、電源ラインＬｐ１の電圧ＶＤＤ１及び電源ラインＬＰ２の電圧ＶＤＤ２の波形の一例である。図１１の中段は、第１の切り替え制御部２０Ａから出力される切り替え信号ＡＳＷ１の波形の一例である。図１１の下段は、第２の切り替え制御部２０Ｂから出力される切り替え信号ＡＳＷ２の波形の一例である。初期状態において、第１のスイッチＳＷ１及び第２のスイッチＳＷ２が、それぞれ、オフ状態であるものとする。
【００６８】
発電部１０における発電量が増大し、発電電圧が上昇すると、これに伴って電源ラインＬＰ１の電圧ＶＤＤ１が上昇する。ステップＳ２１において、第１の切り替え制御部２０Ａは、電圧ＶＤＤ１のレベルが閾値ＶＨ１を上回ったか否かの判定を行う。
【００６９】
第１の切り替え制御部２０Ａは、電圧ＶＤＤ１のレベルが閾値ＶＨ１を上回ったことを検出すると、ステップＳ２２において、ハイレベルの切り替え信号ＡＳＷ１を出力する。これにより、第１のスイッチＳＷ１がオン状態とされ、第２のスイッチＳＷ２はオフ状態を維持する。第１のスイッチＳＷ１がオン状態となることで、第１の機能部６１及び第２の機能部６２は、発電部１０から供給される電力によって稼働する。
【００７０】
第１の切り替え制御部２０Ａから出力された切り替え信号ＡＳＷ１は、インバータ３０を通過することで、ローレベルに反転され、第２の切り替え制御部２０Ｂの第２の入力端子ｉ２に入力される。第１のスイッチＳＷ１がオン状態となり且つ第２の切り替え制御部２０Ｂの第２の入力端子ｉ２にローレベルの信号が印加されることで、第２の切り替え制御部２０Ｂは、電圧ＶＤＤ１（＝ＶＤＤ３）のレベルを検知可能な状態となる。
【００７１】
ステップＳ２３において、リセット制御部４０は、切り替え信号ＡＳＷ１のレベル反転に応じて、リセット信号ＢＲＥＳ１、ＢＲＥＳ２を、それぞれ、出力端４１、４２から同時に出力する。第１の機能部６１及び第２の機能部６２は、それぞれ、リセット信号ＢＲＥＳ１、ＢＲＥＳ２に応じて互いに同じタイミングでリセット状態となる。
【００７２】
ステップＳ２４において、第２の切り替え制御部２０Ｂは、電圧ＶＤＤ１（＝ＶＤＤ３）のレベルが閾値ＶＨ２（＞ＶＨ１）を上回ったか否かの判定を行う。第２の切り替え制御部２０Ｂは、電圧ＶＤＤ１（＝ＶＤＤ３）のレベルが閾値ＶＨ２を上回ったことを検出すると、ハイレベルの切り替え信号ＡＳＷ２を出力する。これにより、ステップＳ２５において、第２のスイッチＳＷ２はオン状態となる。
【００７３】
第１のスイッチＳＷ１及び第２のスイッチＳＷ２の双方がオン状態となることで、蓄電部５０は、発電部１０に及びキャパシタ１２に接続され、発電部１０によって生成された電力によって充電される。蓄電部５０は、キャパシタ１２よりも蓄電容量が大きいため、キャパシタ１２から蓄電部５０への電荷の移動に伴い、電圧ＶＤＤ１（＝ＶＤＤ３）のレベルが低下する。
【００７４】
第２の切り替え制御部２０Ｂは、ステップＳ２６において、電圧ＶＤＤ１（＝ＶＤＤ３）のレベルが閾値ＶＬ２（＜ＶＨ２）を下回ったか否かの判定を行う。第２の切り替え制御部２０Ｂは、電圧ＶＤＤ１（＝ＶＤＤ３）のレベルが閾値ＶＬ２を下回ったことを検出すると、ローレベルの切り替え信号ＡＳＷ２を出力する。これにより、ステップＳ２７において、第２のスイッチＳＷ２はオフ状態となる。
【００７５】
第２のスイッチＳＷ２がオフ状態となることで、蓄電部５０は、発電部１０及びキャパシタ１２から切り離される。発電部１０における発電量が比較的多い場合（後述するステップＳ２８において否定判定がなされる場合）において、第２のスイッチＳＷ２がオフ状態となると、電圧ＶＤＤ１（＝ＶＤＤ３）のレベルは再び上昇する。この場合、ステップＳ２４からステップＳ２７までの処理が繰り返され、第２のスイッチＳＷ２は、オンオフ動作を繰り返す。
【００７６】
図１１には、第２のスイッチＳＷ２においてオンオフ動作が繰り返され、電圧ＶＤＤ１のレベルが、第３の閾値ＶＨ２と第４の閾値ＶＬ２との間で小刻みに振動している様子が示されている。第２のスイッチＳＷ２においてオンオフ動作が繰り返されている間、蓄電部５０の充電電圧（すなわち、電源ラインＬＰ２の電圧ＶＤＤ２）は徐々に上昇する。発電部１０における発電量が比較的多い場合には、充電電圧（ＶＤＤ２）が閾値ＶＬ２を超えない限り、第２のスイッチＳＷ２におけるオンオフ動作が継続する。第２のスイッチＳＷ２においてオンオフ動作が繰り返されることで、蓄電部５０の充電が間欠的に行われる。このように、発電部１０における単位時間当たりの発電量が比較的多い場合には、電源装置１Ｂは、発電部１０において生成された電力によって蓄電部５０の充電を行いつつ第１の機能部６１及び第２の機能部６２への電力供給を行う充電モードで動作する。
【００７７】
発電部１０における発電量が減少し、発電電圧が低下すると、電圧ＶＤＤ１のレベルが低下する。ステップＳ２８において、第１の切り替え制御部２０Ａは、電圧ＶＤＤ１のレベルが閾値ＶＬ１を下回ったか否かの判定を行う。第１の切り替え制御部２０Ａは、電圧ＶＤＤ１のレベルが閾値ＶＬ１を下回ったことを検出すると、ローレベルの切り替え信号ＡＳＷ１を出力する。これにより、ステップＳ２９において、第１のスイッチＳＷ１はオフ状態となる。
【００７８】
第１の切り替え制御部２０Ａから出力されたローレベルの切り替え信号ＡＳＷ１は、インバータ３０を通過することで、ハイレベルに反転され、第２の切り替え制御部２０Ｂの第２の入力端子ｉ２に入力される。第２の切り替え制御部２０Ｂの入力端子ｉ２にハイレベルの信号が入力されると、第２の切り替え制御部２０Ｂは、プルアップ抵抗ＲＨの作用により、ハイレベルの切り替え信号ＡＳＷ２を出力する。これにより、ステップＳ２９において、第２のスイッチＳＷ２は、オン状態となる。
【００７９】
第１のスイッチＳＷ１がオフ状態、第２のスイッチＳＷ２がオン状態となることで、蓄電部５０に蓄積された電力によって第１の機能部６１及び第２の機能部６２に対する電力供給を行う放電モードに移行する。すなわち、第１の機能部６１及び第２の機能部６２に電力を供給する電源が、発電部１０から蓄電部５０に切り替わる。放電モードにおいては、第１のスイッチＳＷ１はオフ状態となり、蓄電部５０は、発電部１０から切り離される。なお、第２の切り替え制御部２０Ｂは、放電モードにおいて、蓄電部５０に蓄積された電力によって稼働状態を維持することが可能である。
【００８０】
ステップＳ３０において、リセット制御部４０は、切り替え信号ＡＳＷ１のレベル反転に応じて、リセット信号ＢＲＥＳ１、ＢＲＥＳ２を、それぞれ、出力端４１、４２から同時に出力する。第１の機能部６１及び第２の機能部６２は、それぞれ、リセット信号ＢＲＥＳ１、ＢＲＥＳ２に応じて互いに同じタイミングでリセット状態となる。その後、処理は、ステップＳ２１に戻される。
【００８１】
以上のように、電源装置１Ｂは、発電部１０における単位時間当たりの発電量が比較的多い場合には、発電部１０において生成された電力によって蓄電部５０の充電を行いつつ第１の機能部６１及び第２の機能部６２への電力供給を行う充電モードで動作する。充電モードにおいて、第２のスイッチＳＷ２は、オンオフ動作を繰り返し、蓄電部５０の充電が間欠的に行われるので、電源ラインＬｐ１の電圧ＶＤＤ１と、蓄電部５０の充電電圧（すなわち、電源ラインＬＰ２の電圧ＶＤＤ２）とが互いに同じレベルとはならない（ＶＤＤ１≠ＶＤＤ２）。従って、充電モードにおいて、発電部１０の発電電圧を、蓄電部５０の充電電圧の影響を受けることなく検出することが可能である。
【００８２】
一方、電源装置１Ｂは、発電部１０における単位時間当たりの発電量が比較的少ない場合には、蓄電部５０に蓄積された電力によって第１の機能部６１及び第２の機能部６２に対する電力供給を行う放電モードで動作する。放電モードにおいて、第１のスイッチＳＷ１はオフ状態となり、蓄電部５０と発電部１０とが切り離される。
【００８３】
上記のように、充電モードにおいて、第１の切り替え制御部２０Ａは、蓄電部５０の充電電圧（電圧ＶＤＤ２）の影響を受けることなく発電部１０の発電電圧（電圧ＶＤＤ１）のレベルを検出することが可能である。従って、充電モードから放電モードへの切り替えを適切なタイミングで行うことが可能となる。すなわち、電圧ＶＤＤ１が充電電圧（電圧ＶＤＤ２）よりも小さくなり、電流が蓄電部５０から発電部１０に向けて流れる逆流が発生する前に、第１のスイッチＳＷ１をオフ状態にして電流経路を遮断することができる。電流の逆流を防止することで、蓄電部５０に蓄積された電力を無駄に消費してしまうことを防止することができる。
【００８４】
また、電源装置１Ｂによれば、第１の実施形態に係る電源装置１と同様、電源の切り替えと連動してトップダウンでリセット管理が行われる。これにより、電源の切り替えに起因する負荷の動作不具合の発生を抑制することが可能となる。
【００８５】
［第４の実施形態］
図１２は、開示の技術の第３の実施形態に係る通信装置２の構成を示す図である。通信装置２は、電源装置１と、電源装置１から電力の供給を受けて動作する第１の機能部としての機能回路８１及び第２の機能部としての無線通信部８２を有する。機能回路８１及び無線通信部８２は、ＶＤＤ１＞ＶＨを満たす場合、発電部１０によって生成された電力によって駆動され、ＶＤＤ１＜ＶＬを満たす場合、蓄電部５０に蓄積された電力によって駆動される。
【００８６】
機能回路８１は、例えばセンサであってもよい。センサとして、例えば、温度センサ、湿度センサ、照度センサ、電圧センサ等のあらゆるセンサを適用することができる。機能回路８１がセンサである場合、無線通信部８２は、機能回路８１としてのセンサによって取得されたデータを無線通信によって外部に送信する機能を有する。機能回路８１及び無線通信部８２は、これらの間で、通信リンク（ハンドシェイク）を確立し、相互に通信を行いながら、所定の機能を発揮する。通信装置２は、センサネットワークにおけるセンサノードを構成するものであってもよい。また、機能回路８１は、外部タイマであってもよい。機能回路８１が外部タイマである場合、無線通信部８２は、機能回路８１としての外部タイマにパルス信号Ｃ２を供給した後、無線通信部８２はスリープ状態となる。機能回路８１としての外部タイマは、無線通信部８２から供給されたパルス信号Ｃ２を受信した時点から所定期間が経過した後、無線通信部８２にパルス信号Ｃ１を供給する。無線通信部８２は、このパルス信号Ｃ１により起動され、スリープ状態から稼働状態に移行する。通信装置２は、電源装置１に代えて、電源装置１Ａまたは電源装置１Ｂを含んで構成されていてもよい。通信装置２が、電源装置１Ｂを含んで構成される場合、機能回路８１及び無線通信部８２は、充電モードにおいて、発電部１０によって生成された電力によって駆動され、放電モードにおいて蓄電部５０に蓄積された電力によって駆動される。
【００８７】
なお、上記の第１乃至第４の実施形態においては、第１の電源として発電部１０を用い、第２の電源として蓄電部５０を用いる場合を例示したが、この態様に限定されない。例えば、第１の電源として二次電池を用い、第２の電源として一次電池を用いてもよい。また、上記の第１乃至第４の実施形態においては、第１のスイッチＳＷ１及び第２のスイッチＳＷ２を発電部１０の正極側である電源ライン上に配置する場合を例示したが、この態様に限定されない。第１のスイッチＳＷ１及び第２のスイッチＳＷ２は、発電部１０の負極側であるグランドライン上に配置されていてもよい。
【００８８】
なお、電源装置１、１Ａ、１Ｂは、開示の技術の実施形態に係る電源装置の一例である。切り替え制御部２０、第１の切り替え制御部２０Ａ、第２に切り替え制御部２０Ｂは、開示の技術の実施形態に係る切り替え制御部の一例である。リセット制御部４０は、開示の技術の実施形態に係るリセット制御部の一例である。発電部１０は、開示の技術の実施形態に係る発電部の一例である。蓄電部５０は、開示の技術の実施形態に係る蓄電部の一例である。第１のスイッチＳＷ１は、開示の技術の実施形態に係る第１のスイッチの一例である。第２のスイッチＳＷ２は、開示の技術の実施形態に係る第２のスイッチの一例である。第１の機能部６１は、開示の技術の実施形態に係る第１の機能部の一例である。第２の機能部６２は、開示の技術の実施形態に係る第２の機能部の一例である。通信装置２は、開示の技術の実施形態に係る通信装置の一例である。
【００８９】
以上の第１乃至第４の実施形態に関し、更に以下の付記を開示する。
【００９０】
（付記１）
複数の負荷の各々に電力を供給する電源を切り換える場合に、切り替え信号を出力する切り替え制御部と、
前記切り替え信号に応じて、前記複数の負荷の各々をリセットするリセット信号を、複数の出力端の各々から出力するリセット制御部と、
を含む電源装置。
【００９１】
（付記２）
前記リセット制御部は、前記切り替え信号のレベルの切り替わりに応じて、前記リセット信号を出力する
付記１に記載の電源装置。
【００９２】
（付記３）
前記リセット制御部は、前記切り替え信号のレベルの切り替わりから所定期間が経過した後に前記リセット信号を出力する
付記２に記載の電源装置。
【００９３】
（付記４）
前記切り替え制御部は、前記電源のうちの１つから出力される電圧のレベルに基づいて前記切り替え信号を出力する
付記１から付記３のいずれか１つに記載の電源装置。
【００９４】
（付記５）
前記切り替え信号によって制御され、オン状態となった場合に第１の電源と前記複数の負荷とを接続する第１のスイッチと、
前記切り替え信号によって制御され、オン状態となった場合に前記第１の電源とは異なる第２の電源と前記複数の負荷の各々とを接続する第２のスイッチと、
を含む付記１から付記４のいずれか１つに記載の電源装置。
【００９５】
（付記６）
前記切り替え制御部は、前記第１の電源から出力される電圧のレベルが第１の閾値よりも大である場合に、前記第１のスイッチをオン状態とし、前記第２のスイッチをオフ状態とする切り替え信号を出力し、前記第１の電源から出力される電圧のレベルが前記第１の閾値より小さい第２の閾値よりも小である場合に、前記第１のスイッチをオフ状態とし、前記第２のスイッチをオン状態とする切り替え信号を出力する
付記５に記載の電源装置。
【００９６】
（付記７）
前記第１の電源としての発電部と、
前記第２の電源としての蓄電部と、
を更に含む付記５または付記６に記載の電源装置。
【００９７】
（付記８）
前記リセット信号に基づいて、前記複数の負荷の各々に対する電力の供給を所定期間だけ遮断する電源遮断部を更に含む
付記１から付記７のいずれか１つ記載の電源装置。
【００９８】
（付記９）
通信リンクを確立して相互に通信を行いながら所定の機能を発揮する第１の機能部及び第２の機能部と、
前記第１の機能部及び前記第２の機能部の各々に電力を供給する電源を切り換える場合に、切り替え信号を出力する切り替え制御部と、
前記切り替え信号に応じて、前記第１の機能部及び前記第２の機能部の各々をリセットするリセット信号を、複数の出力端の各々から出力するリセット制御部と、
を含み、
前記第１の機能部及び前記第２の機能部のうちの少なくとも一方が、無線通信機能を有する
通信装置。
【００９９】
（付記１０）
前記リセット制御部は、前記切り替え信号のレベルの切り替わりに応じて、前記リセット信号を出力する
付記９に記載の通信装置。
【０１００】
（付記１１）
前記リセット制御部は、前記切り替え信号のレベルの切り替わりから所定期間が経過した後に前記リセット信号を出力する
付記１０に記載の通信装置。
【０１０１】
（付記１２）
前記切り替え制御部は、前記電源のうちの１つから出力される電圧のレベルに基づいて前記切り替え信号を出力する
付記９から付記１１のいずれか１つに記載の通信装置。
【０１０２】
（付記１３）
前記切り替え信号によって制御され、オン状態となった場合に第１の電源と前記複数の負荷とを接続する第１のスイッチと、
前記切り替え信号によって制御され、オン状態となった場合に前記第１の電源とは異なる第２の電源と前記複数の負荷の各々とを接続する第２のスイッチと、
を含む付記９から付記１２のいずれか１つに記載の通信装置。
【０１０３】
（付記１４）
前記切り替え制御部は、前記第１の電源から出力される電圧のレベルが第１の閾値よりも大である場合に、前記第１のスイッチをオン状態とし、前記第２のスイッチをオフ状態とする切り替え信号を出力し、前記第１の電源から出力される電圧のレベルが前記第１の閾値より小さい第２の閾値よりも小である場合に、前記第１のスイッチをオフ状態とし、前記第２のスイッチをオン状態とする切り替え信号を出力する
付記１３に記載の通信装置。
【０１０４】
（付記１５）
前記第１の電源としての発電部と、
前記第２の電源としての蓄電部と、
を更に含む付記１３または付記１４に記載の通信装置。
【０１０５】
（付記１６）
前記リセット信号に基づいて、前記複数の負荷の各々に対する電力の供給を所定期間だけ遮断する電源遮断部を更に含む
付記９から付記１５のいずれか１つ記載の通信装置。
【符号の説明】
【０１０６】
１、１Ａ、１Ｂ  電源装置
２  通信装置
１０  発電部
２０  切り替え制御部
４０  リセット制御部
５０  蓄電部
６１  第１の機能部
６２  第２の機能部
ＳＷ１  第１のスイッチ
ＳＷ２  第２のスイッチ
【図１】
2020088907.tif 000003
【図２】
2020088907.tif 000004
【図３】
2020088907.tif 000005
【図４】
2020088907.tif 000006
【図５】
2020088907.tif 000007
【図６】
2020088907.tif 000008
【図７】
2020088907.tif 000009
【図８】
2020088907.tif 000010
【図９】
2020088907.tif 000011
【図１０】
2020088907.tif 000012
【図１１】
2020088907.tif 000013
【図１２】
2020088907.tif 000014